(57)【要約】      （修正有）【課題】光再構成ゲートアレイの各種論理演算回路を正確且つ確実に書込むと共に、各々を迅速に起動して論理演算を高速化できる光再構成ゲートアレイの再構成制御装置を提供する。【解決手段】再生光のレーザ光１ａを発光して照射するレーザアレイ１と、予め格納された記録情報に基づいてレーザ光１ａの照射により光パターン２ａを射出すると共に、光再構成に関する制御信号光２ｂを射出するホログラムメモリ２と、光パターン２ａに基づいてアレイ状に配列された複数の論理演算セルを各種の論理演算回路に再構成し制御信号光２ｂに基づいて光制御信号Ｓ４を出力する光再構成型ゲートアレイ３と、レーザアレイ１で発光されるレーザ光１ａの照射を制御する再生光照射制御手段４とを備える構成により、各種の論理演算回路を書込みエラーを生じることなく、正確且つ確実に書込みが実行できると共に、各種論理演算回路を連続して順次高速に論理演算を実行できる。【選択図】図１
2008054187.tif 000002
【特許請求の範囲】
【請求項１】
再生光を発光して照射する再生光照射手段と、
予め格納された記録情報に基づいて前記再生光の照射により光パターンを射出すると共に、当該光パターンによる光再構成に関する制御信号光を射出する光学的メモリ手段と、
前記射出される光パターンに基づいてアレイ状に配列された複数の論理演算セルを各種の論理演算回路に再構成し、制御信号光に基づいて光制御信号を出力する光再構成型ゲートアレイと、
前記光制御信号に基づいて前記再生光照射手段で発光される再生光の照射を制御する再生光照射制御手段とを備えることを
特徴とする光再構成ゲートアレイの再構成制御装置。
【請求項２】
前記請求項１に記載の光再構成ゲートアレイの再構成制御装置において、
前記光学的メモリ手段が、制御信号光を再構成速度の二値化データとして射出することを
特徴とする光再構成ゲートアレイの再構成制御装置。
【請求項３】
前記請求項１に記載の光再構成ゲートアレイの再構成制御装置において、
前記光学的メモリ手段が、制御信号光を再構成速度に対応した光強度として射出することを
特徴とする光再構成ゲートアレイの再構成制御装置。
【請求項４】
前記請求項１ないし３のいずれかに記載の光再構成ゲートアレイの再構成制御装置において、
前記光再構成型ゲートアレイが、光制御信号により前記射出された光パターンの光強度及び／又は照射時間が制御され、当該光パターンの光強度及び／又は照射時間により光再構成が完了した後に、各種の論理演算回路による演算動作を実行することを
特徴とする光再構成ゲートアレイの再構成制御装置。
【請求項５】
前記請求項１ないし４のいずれかに記載の光再構成ゲートアレイの再構成制御装置において、
前記光再構成型ゲートアレイを複数の再構成回路パターンで順次書替えて光再構成を実行する際に、
前記光再構成された論理演算回路が演算動作を実行中に、次に光再構成する再構成回路パターンの光パターンの光制御信号を保持し、当該保持された光制御信号に基づいて次に書替えられる再構成回路パターンを光再構成するために再生光照射手段の発光を制御することを
特徴とする光再構成ゲートアレイの再構成制御装置。
【請求項６】
前記請求項１ないし４のいずれかに記載の光再構成ゲートアレイの再    構成制御装置において、
前記光再構成型ゲートアレイを複数の再構成回路パターンで順次書替えて光再構成を実行する際に、
前記再構成回路パターンの光再構成が、光学的メモリから射出される光パターン及び制御信号を入力して当該制御信号の制御により光パターンで論理演算回路の再構成として実行され、
前記順次書替えられる光再構成のうち前に光再構成される光パターンと同時に照射された制御信号に基づいて後に光再構成される光パターンの照射を制御することを
特徴とする光再構成ゲートアレイの再構成制御装置。
【発明の詳細な説明】
【技術分野】
【０００１】
本発明は、光再構成型ゲートアレイに対して論理演算回路を再構成する光パターンの照射制御を行う光再構成ゲートアレイの再構成制御装置に関し、特に論理演算回路の再構成に最適な光パターンの照射を制御できる光再構成ゲートアレイの再構成制御装置に関する。
【背景技術】
【０００２】
従来、この種の光再構成ゲートアレイの再構成制御装置として特開２００２−３５３３１７号公報（以下、特許文献１）及び特開２００５−５１０５９号公報（以下、特許文献２）に各々の開示されるものがあった。前記特許文献１及び２の光再構成ゲートアレイの再構成制御装置における概略構成図を図７に示す。
【０００３】
前記特許文献１に記載の発明に係る光再構成ゲートアレイの再構成制御装置は、論理演算セル及びこの論理演算セルの演算プログラムを設定するプログラム設定用の受光素子を平面状のチップ上に搭載した光再構成型ゲートアレイ３を再構成するに際し、前記光再構成型ゲートアレイ３に対向配設された光学的メモリ手段であるホログラムメモリ２にレーザアレイ１から光を照射して再生光を射出し、この再生光を前記プログラムに応じた光信号として光再構成型ゲートアレイ３の受光素子の各々に同時に照射する構成である。
【０００４】
このように光再構成型ゲートアレイ３の平面状のチップ上に搭載された多数の受光素子に光信号の再生光を同時に照射することにより、光再構成型ゲートアレイ３の論理演算セルを論理演算回路として再構成できることとなる。
【０００５】
また、特許文献２に記載の発明に係る光再構成ゲートアレイの再構成制御装置は、光再構成型ゲートアレイ３の上面に配設された光学的メモリ手段であるホログラムメモリ２、このホログラムメモリ２に再生照明光を照射する再生光照射手段である面発光レーザからなるレーザアレイ１、及びこのレーザアレイ１の再生照射光の制御を行う再生光照射制御回路４を備えている。
【０００６】
レーザアレイ１によりホログラムメモリ２に照射された再生照明光は、ホログラムメモリ２を通過して再生光５となる。この際、ホログラムメモリ２にホログラムとして記録されたマスクパターンを再生し、再生光５は光パターンを形成する。この光パターンが光再構成型ゲートアレイ３に照射される。光再構成型ゲートアレイ３は再生光に対して光電変換を行い、光パターンに対応した論理演算回路の再構成を行う。
【０００７】
次に、前記特許文献１及び２に記載される光再構成ゲートアレイの再構成制御装置の動作を図８に基づいて説明する。同図において再生光照射制御手段４に対して光再構成ゲートアレイの再構成制御装置の起動信号が入力されたと判断された場合には（ステップ１１）、この再生光照射制御手段４が発光制御信号Ｓ４１をレーザアレイ１へ出力する（ステップ１２）。この発光制御信号Ｓ４１は、前記ホログラムメモリ２が再構成する各種の論理演算回路のうちで最大の再構成時間を見込んで設定された再構成時間をデータ内容とする構成である。
【０００８】
前記発光制御信号Ｓ４１が入力されたレーザアレイ１は、発光制御信号Ｓ４１で特定される再構成時間に基づいてレーザ光１ａを発光し、このレーザ光１ａをホログラムメモリ２に照射する（ステップ１３）。このホログラムメモリ２は、照射されたレーザ光１ａにより予め格納された記録情報に基づいて光パターン２ａを光再構成型ゲートアレイ３へ照射する（ステップ１４）。
【０００９】
この光パターン２ａの照射開始時から再生光照射制御手段４が照射開始時間を積算し（ステップ１５）、この積算値が発光制御信号Ｓ４１で設定される光再構成時間の最大値を経過したか否かが判断される（ステップ１６）。この最大値を積算値が経過していないと判断された場合には、前記ステップ１３に戻り前記各動作を繰り返すこととなる。
【００１０】
前記ステップ１６において積算値が最大値を経過したと判断された場合には、この再構成回路パターンに対応する光再構成型ゲートアレイ３の論理演算回路を起動させ、この起動した論理演算回路に入力データＳ１が入力されると論理演算を実行して光再構成型ゲートアレイ３から演算結果の出力データＳ２を出力する（ステップ１７）。この起動した論理演算回路の論理演算動作が完了したか否かを判断し（ステップ１８）、この論理演算回路の動作が完了したと判断された場合にはさらに再生光照射制御手段４で光再構成される総ての論理演算回路の論理演算動作が終了したか否かが判断される（ステップ１９）。このステップ１９で論理演算動作が終了していないと判断された場合には、前記ステップ１２に戻って新たな次に演算する論理演算回路を光再構成するために前記動作を繰り返すこととなる。
【００１１】
この光パターン２ａの照射は、前記光再構成型ゲートアレイ３における各種の論理演算回路の総てが各々再構成されるのに十分な期間、即ち、発光制御信号Ｓ４１で設定される再構成時間だけ照射されることとなる。
【特許文献１】特開２００２−３５３３１７号公報
【特許文献２】特開２００５−５１０５９号公報
【発明の開示】
【発明が解決しようとする課題】
【００１２】
前記背景技術に係る光再構成ゲートアレイの再構成制御装置は以上のように各々構成されており、文献１及び２の各発明のいずれにおいても、ホログラムメモリ２に対してレーザアレイ１からレーザ光１ａを照射して再生光の光パターン２ａをホログラムメモリ２から光再構成型ゲートアレイ３へ照射させていることから、光再構成型ゲートアレイ３に順次再構成される各種の論理演算回路を起動させて論理演算を実行させる際に、各種の論理演算回路に応じた適確且つ迅速な起動ができないという課題を有していた。
【００１３】
前記光再構成型ゲートアレイ３は、各種の論理演算回路のうちで最大の再構成時間を見込んで総ての論理演算回路を起動させるように設定された発光制御信号Ｓ４１に基づいていることから、短時間で書込みが完了している論理演算回路であっても、予め見込んで発光制御信号Ｓ４１で設定された最大の再構成時間の経過を待って起動されることとなり、各種の論理演算回路が連続して高速且つ確実に演算動作を行うことができないという課題を有していた。即ち、従来の光再構成ゲートアレイの再構成制御装置は、再構成する各種の論理演算回路に関するパターン、受光素子数等により書込み時間を異にするので、このパターン、受光素子数等に適合した光量を適正に照射できないことから、総ての論理演算回路を正確且つ確実な書込みができず、書込みエラーを生じるという課題を有する。
【００１４】
特に、前記光再構成型ゲートアレイ３の総ての論理演算回路を発光制御信号Ｓ４１に基づいて正確且つ確実に書込んだ後にこれらの論理演算回路を順次起動させようとすると、各パターンの論理演算回路に応じた迅速な起動ができず、論理演算を高速化できないという課題を有する。
【００１５】
本発明は、前記課題を解消するためになされたもので、光再構成ゲートアレイの各種論理演算回路を正確且つ確実に書込むと共に、各々を迅速に起動して論理演算を高速化できる光再構成ゲートアレイの再構成制御装置を提供することを目的とする。
【課題を解決するための手段】
【００１６】
本発明に係る光再構成ゲートアレイの再構成制御装置は、再生光を発光して照射する再生光照射手段と、予め格納された記録情報に基づいて前記再生光の照射により光パターンを射出すると共に、当該光パターンによる光再構成に関する制御信号光を射出する光学的メモリ手段と、前記射出される光パターンに基づいてアレイ状に配列された複数の論理演算セルを各種の論理演算回路に再構成し、制御信号光に基づいて光制御信号を出力する光再構成型ゲートアレイと、前記光制御信号に基づいて前記再生光照射手段で発光される再生光の照射を制御する再生光照射制御手段とを備えるものである。
【００１７】
このように本発明においては、予め格納された記録情報に基づいて再生光照射手段が発光した再生光の照射により光パターンを射出すると共に、この光パターンによる光再構成に関する制御信号光を光学的メモリ手段が射出し、この射出される光パターンに基づいてアレイ状に配列された複数の論理演算セルからなる光再構成型ゲートアレイを各種の論理演算回路に再構成し、且つ制御信号光に基づいて光制御信号を出力し、この光制御信号に基づいて前記再生光照射手段で発光される再生光の照射を再生光照射制御手段が制御するようにしているので、光再構成ゲートアレイで順次再構成される各種の論理演算回路に適応した再構成時間に光パターン照射を光制御信号に基づいて実行できることとなり、各種の論理演算回路を書込みエラーを生じることなく、正確且つ確実に書込みが実行できると共に、各種論理演算回路を連続して順次高速に論理演算を実行できるという効果を奏する。
【００１８】
本発明係る光再構成ゲートアレイの再構成制御装置は必要に応じて、光学的メモリ手段が、制御信号光を再構成速度の二値化データとして射出するものである。
【００１９】
このように本発明においては、制御信号光を再構成速度の二値化データとして光学的メモリ手段が射出するようにしているので、二値化データにより再構成速度を確実に光再構成型ゲートアレイの論理演算回路に伝達できることとなり、光再構成ゲートアレイで順次再構成される各種の論理演算回路に適応した再構成時間に光パターン照射を光制御信号に基づいて実行できることとなり、各種の論理演算回路を書込みエラーを生じることなく、正確且つ確実に書込みが実行できると共に、各種論理演算回路を連続して順次高速に論理演算を実行できるという効果を有する。
【００２０】
本発明に係る光再構成ゲートアレイの再構成制御装置は必要に応じて、光学的メモリ手段が、制御信号光を再構成速度に対応した光強度として射出するものである。
【００２１】
このように本発明においては、制御信号光を再構成速度に対応した光強度として光学的メモリ手段が射出するようにしているので、光パターンと同じ光信号の光強度により再構成速度を確実に光再構成型ゲートアレイの論理演算セルを動作させることができることとなり、光再構成ゲートアレイで順次再構成される各種の論理演算回路に適応した再構成時間に光パターン照射を光制御信号に基づいて実行できることとなり、各種の論理演算回路を書込みエラーを生じることなく、正確且つ確実に書込みが実行できると共に、各種論理演算回路を連続して順次高速に論理演算を実行できるという効果を有する。
【００２２】
本発明に係る光再構成ゲートアレイの再構成制御装置は必要に応じて、光再構成型ゲートアレイが、光制御信号により前記射出された光パターンの光強度及び／又は照射時間が制御され、当該光パターンの光強度及び／又は照射時間により光再構成が完了した後に、各種の論理演算回路による演算動作を実行するものである。
【００２３】
このように本発明においては、光制御信号により前記射出された光パターンの光強度及び／又は照射時間が制御され、当該光パターンの光強度及び／又は照射時間により光再構成が完了した後に、光再構成型ゲートアレイが各種の論理演算回路による演算動作を実行するようにしているので、光再構成ゲートアレイで順次再構成される各種の論理演算回路に適応した再構成時間に光パターン照射を光制御信号に基づいて実行できることとなり、各種の論理演算回路を書込みエラーを生じることなく、正確且つ確実に書込みが実行できると共に、各種論理演算回路を連続して順次高速に論理演算を実行できるという効果を有する。
【００２４】
本発明に係る光再構成ゲートアレイの再構成制御装置は、光再構成型ゲートアレイを複数の再構成回路パターンで順次書替えて光再構成を実行する際に、前記光再構成された論理演算回路が演算動作を実行中に、次に光再構成する再構成回路パターンの光パターンの光制御信号を保持し、当該保持された光制御信号に基づいて次に書替えられる再構成回路パターンを光再構成するために再生光照射手段の発光を制御するものである。
【００２５】
このように本発明においては、光再構成型ゲートアレイを複数の再構成回路パターンで順次書替えて光再構成を実行する際に、前記光再構成された論理演算回路が演算動作を実行中に、次に光再構成する再構成回路パターンの光パターンの光制御信号を保持し、当該保持された光制御信号に基づいて次に書替えられる再構成回路パターンを光再構成するために再生光照射手段の発光を制御するようにしているので、順次光再構成される論理演算回路のうち演算動作実行中の論理演算回路が次に再構成される論理演算回路の再構成速度を光制御信号で制御することとなり、光再構成ゲートアレイで順次再構成される各種の論理演算回路に適応した再構成時間に光パターン照射を光制御信号に基づいて実行できることとなり、各種の論理演算回路を書込みエラーを生じることなく、正確且つ確実に書込みが実行できると共に、各種論理演算回路を連続して順次高速に論理演算を実行できるという効果を有する。
【００２６】
本発明に係る光再構成ゲートアレイの再構成制御装置は必要に応じて、光再構成型ゲートアレイを複数の再構成回路パターンで順次書替えて光再構成を実行する際に、前記再構成回路パターンの光再構成が、光学的メモリから射出される光パターン及び制御信号を入力して当該制御信号の制御により光パターンで論理演算回路の再構成として実行され、前記順次書替えられる光再構成のうち前に光再構成される光パターンと同時に照射された制御信号に基づいて後に光再構成される光パターンの照射を制御するものである。
【発明を実施するための最良の形態】
【００２７】
（本発明の第１の実施形態）
以下、本発明の第１の実施形態に係る光再構成ゲートアレイの再構成制御装置を図１及び図２に基づいて説明する。この図１は本実施形態に係る光再構成ゲートアレイの再構成制御装置の全体概略構成図、図２は図１に記載の光再構成ゲートアレイにおける論理演算回路の光再構成及び論理演算の動作フローチャートである。
【００２８】
前記各図において本発明の第１の実施形態に係る光再構成ゲートアレイの再構成制御装置は、再生光のレーザ光１ａを発光して照射する再生光照射手段としてのレーザアレイ１と、予め格納された記録情報に基づいて前記レーザ光１ａの照射により光パターン２ａを射出すると共に、この光パターン２ａによる光再構成に関する制御信号光２ｂを射出する光学的メモリ手段としてのホログラムメモリ２と、前記射出される光パターン２ａに基づいてアレイ状に配列された複数の論理演算セルを各種の論理演算回路に再構成し、制御信号光２ｂに基づいて光制御信号Ｓ４を出力する光再構成型ゲートアレイ３と、前記光制御信号に基づいて前記レーザアレイ１で発光されるレーザ光１ａの照射を制御する再生光照射制御手段４とを備える構成である。
【００２９】
次に、本実施形態に係る光再構成ゲートアレイの再構成制御装置の動作を図２に基づいて説明する。同図において再生光照射制御手段４に対して光再構成ゲートアレイの再構成制御装置の起動信号が入力されたと判断された場合には（ステップ１）、この再生光照射制御手段４が発光制御信号Ｓ４をレーザアレイ１へ出力する（ステップ２）。この発光制御信号Ｓ４は、前記ホログラムメモリ２が再構成する各種の論理演算回路のうちで最大の再構成時間を見込んで設定された再構成時間をデータ内容とする構成である。
【００３０】
前記発光制御信号Ｓ４が入力されたレーザアレイ１は、発光制御信号Ｓ４で特定される再構成時間に基づいてレーザ光１ａを発光し、このレーザ光１ａをホログラムメモリ２に照射する（ステップ３）。このホログラムメモリ２は、照射されたレーザ光１ａにより予め格納された記録情報に基づいて光パターン２ａ及び制御信号光２ｂを光再構成型ゲートアレイ３へ照射する（ステップ４）。
【００３１】
この光パターン２ａの照射開始時から再生光照射制御手段４が照射開始時間を積算し（ステップ５）、この積算値が制御信号光２ｂで設定される光再構成時間を経過したか否かが再生光照射制御手段４により判断される（ステップ６）。この積算値が経過していないと判断された場合には、前記ステップ３に戻り前記各動作を繰り返すこととなる。
【００３２】
前記ステップ６において積算値が光再構成時間を経過したと判断された場合には、この再構成回路パターンに対応する光再構成型ゲートアレイ３の論理演算回路を起動させ、この起動した論理演算回路に入力データＳ１が入力されると論理演算を実行して光再構成型ゲートアレイ３から演算結果の出力データＳ２を出力する（ステップ７）。
【００３３】
この起動した論理演算回路の論理演算動作が完了したか否かを判断し（ステップ８）、この論理演算回路の動作が完了したと判断された場合にはさらに再生光照射制御手段４で光再構成される総ての論理演算回路の論理演算動作が終了したか否かが判断される（ステップ９）。このステップ９で論理演算動作が終了していないと判断された場合には、前記ステップ３に戻って新たな次に演算する論理演算回路を光再構成するためにレーザアレイ１からレーザ光１ａが照射されて前記動作を繰り返すこととなる（ステップ９）。
【００３４】
さらに、前記光再構成型ゲートアレイ３における論理演算回路を順次光再構成する動作について図３に基づいて説明する。この図３は図１に記載の光再構成ゲートアレイの再構成制御装置における光再構成ゲートアレイの詳細回路構成図を示す。
【００３５】
前記図３において光再構成型ゲートアレイ３は、順次光再構成される各論理演算回路を切替える再環境設定回路３１と、この光再構成型ゲートアレイ３の制御により順次論理演算回路を光再構成する論理演算セルからなるゲートアレイ回路３２とを備える構成である。
【００３６】
この図３に示す光再構成型ゲートアレイ３は、再環境設定回路３１にリフレッシュ信号ｎＲＥＦが入力トランジスタＴｒ１に入力されると、フォトダイオードｐＤ１に光パターン２ａが入射されていて内部コンデンサｐＤｃに電荷をチャージしていることを条件としてパストランジスタＴｒ４を介して再構成信号ｐＤｏｕｔｎをゲートアレイ回路３２へ出力する。このゲートアレイ回路３２は再構成信号ｐＤｏｕｔｎにより論理演算セルを活性化して論理演算回路が再構成されることとなる。
（本発明の第２の実施形態）
本発明の第２の実施形態に係る光再構成ゲートアレイの再構成制御装置を図４及び図５に基づいて説明する。
この図４は、本実施形態に係る光再構成ゲートアレイの再構成制御装置の動作フローチャート、図５は図４の動作フローチャートに対応する動作タイミングチャートを示す。
【００３７】
前記各図において本発明の第２の実施形態に係る光再構成ゲートアレイの再構成制御装置は、前記第１の実施形態と同様にレーザアレイ１、ホログラムメモリ２、光再構成型ゲートアレイ３、再生光照射制御手段４を備え、この光再構成型ゲートアレイ３を複数の再構成回路パターンで順次書替えて光再構成を実行する際に、ホログラムメモリ２から光パターン２ａ及び制御信号光２ｂが光再構成型ゲートアレイ３に照射され、次に書替えるために制御信号光２ｂに基づいて光パターン２ａに対応する照射時間（又は光強度）を再生光照射制御手段４が保持し、この保持された照射時間（又は光強度）に基づいて再生光照射制御手段４が書替えられる再構成回路パターンを光再構成型ゲートアレイ３に光再構成する構成である。
【００３８】
次に、前記構成に基づく本実施形態に係る光再構成ゲートアレイの再構成制御装置動作を説明する。まず、前記第１の実施形態と同様に再生光照射制御手段４に起動信号が入力されると発光制御信号Ｓ４がレーザアレイ１に出力されてレーザ光１ａをホログラムメモリ２に照射し、このホログラムメモリ２から再構成回路パターンに対応する光パターン２ａ及び制御信号光２ｂを光再構成型ゲートアレイ３へ照射する（ステップ１ないし４）。
【００３９】
この光パターン２ａにより光再構成される再構成回路パターンの次に再構成される光パターンの照射時間（又は光強度）を前記制御信号光２ｂで特定し、この特定された照射時間（又は光強度）を再生光照射制御手段４に保持する（ステップ４１）。
【００４０】
前記ステップ４で照射される光パターン２ａによる光再構成が最初の光再構成の実行か否かが判断され（ステップ４２）、最初の光再構成の実行と判断された場合には光パターン２ａの照射開始時から照射時間（又は光強度）を積算する（ステップ４３）。この積算された積算値が光再構成時間（又は光再構成強度）の最大値を経過したか否かを判断する（ステップ４４）。このステップ４４で最大値を経過していないと判断された場合には前記ステップ３に戻り前記動作を繰り返すこととなる。
【００４１】
前記ステップ４２において光パターン２ａによる光再構成の実行が最初の光再構成動作でないと判断された場合は、制御信号光２ｂの受光開始時から光パターン２ａの光再構成型ゲートアレイ３に対する照射時間（又は照射光の光強度積分値）を積算し、この積算値が光再構成時間（又は光再構成強度）を経過したか否かを判断する（ステップ５及び６）。
【００４２】
このステップ６で積算値が光再構成時間（又は光再構成強度）を経過していると判断された場合及び前記ステップ４４で積算値が光再構成時間（又は光強度）の最大値を経過していると判断された場合には、再構成回路パターンに対応する論理演算回路を起動させる（ステップ７）。
【００４３】
前記論理演算回路が起動して再生光照射制御手段４に入力された入力データＳ１に基づいて論理演算動作を実行して出力データＳ２を出力し、この論理演算動作が完了したか否かが判断される（ステップ８）。この論理演算動作が完了したと判断された場合に、順次書替えて光再構成される各論理演算回路による総ての論理演算が順次実行され（ステップ４ないしステップ９）、この総ての論理演算動作が終了したと判断（ステップ９）されるまで前記論理演算が実行される。
【００４４】
また、前記順次書替えて光再構成及び論理演算を行う動作タイミングは、図５に示すようにレーザアレイ１のレーザ光１ａによりホログラムメモリ２から最初の制御信号(1)２ｂ及び光パターン(1)２ａを最大積算値の光再構成時間（又は光強度）だけ照射されることにより論理演算回路を光再構成型ゲートアレイ３に再構成し、この再構成された論理演算回路で論理演算を実行(1)する。
【００４５】
次に、書替えて光再構成するために、レーザアレイ１のレーザ光１ａによりホログラムメモリ２から二番目の制御信号光(2)２ｂ及び光パターン(2)２ａが光再構成型ゲートアレイ３に照射されると、この光パターン(2)２ａを前記最初に照射された制御信号光(1)２ｂに基づく光再構成時間（又は光強度）だけ照射されることにより論理演算回路を光再構成型ゲートアレイ３に再構成し、この再構成された論理演算回路で論理演算を実行(2)する。
【００４６】
さらに、書替えて三番目の光再構成では、二番目に照射された制御信号光(2)２ｂに基づいて特定される光再構成時間（又は光強度）だけ光パターン(3)２ａが照射されて対応する論理演算回路を再構成し、この再構成された論理演算回路で論理演算を実行(3)する。
【００４７】
以上のように、順次書替える再構成回路パターンの光パターン(2)、(3)、〜、(n)を前に再構成された時に照射された制御信号光(1)、(2)、〜、(n-1)で前記で光再構成時間（又は光強度）を制御するようにしているので、光再構成をより確実且つ高速化できる。
（本発明の第３の実施形態）
図６は本発明の第２の実施形態に係る光再構成ゲートアレイの再構成制御装置の全体概略構成図を示す。
【００４８】
同図において本実施形態に係る光再構成ゲートアレイの再構成制御装置は、前記第１の実施形態と同様にレーザアレイ１、ホログラムメモリ２、光再構成型ゲートアレイ３及び再生光照射制御手段４を備え、この光再構成型ゲートアレイ３にホログラムメモリ２から照射される制御信号光２ｂを受光して光再構成時間を演算する再構成時間演算部３３を備える構成である。
【００４９】
この再構成時間演算部３３は、同図（Ｂ）に示すように制御信号光２ｂを受光するフォトダイオード部ｐＤ３３と、このフォトダイオード部ｐＤ３３により光電変換された再構成制御信号Ｓ３３により光電変換された再構成制御信号Ｓ３３により光再構成時間を演算する演算回路３３ｃとを備える構成である。このフォトダイオード部ｐＤ３３は、ホログラムメモリ２からの制御信号光２ｂが照射される位置にハードウェアの回路構成として予め形成される。また、演算回路３３ｃも、フォトダイオード部ｐＤ３３と同様に再構成制御信号Ｓ３３に基づいて光再構成時間を演算するハードウェアの回路構成として予め形成される構成である。
【００５０】
このように本実施形態に係る光再構成ゲートアレイの再構成制御装置は、再構成時間演算部３３を予めハードウェアとして光再構成型ゲートアレイ３に形成して構成されるので、ホログラムメモリ２からの制御信号２ｂに基づいて次に光再構成される論理演算回路の光再構成時間を再構成時間演算部３３が確実に演算できることとなり、この光再構成時間により正確に論理演算回路を光再構成できると共に、この光再構成の完了直後から論理演算回路の演算動作を迅速に実行できることとなる。
【００５１】
なお、前記各実施形態に係る光再構成ゲートアレイの再構成制御装置は、ホログラムメモリ２から光再構成型ゲートアレイ３に対して制御信号光２ｂを照射する構成としたが、この制御信号光２ｂがアナログデータ又はディジタルデータとして構成することもできる。このアナログデータの制御信号光２ｂは、ホログラムメモリ２に光強度をアナログ的に記憶されてこの光量に応じた光量データとして光再構成時間（速度）を特定する構成とすることもできる。又、前記ディジタルデータの制御信号光２ｂは、ホログラムメモリ２に光再構成時間（速度）を、例えば４ｂｉｔで１−１６までのプログラムとして記憶し、この内容に基づいて光再構成時間（速度）を特定する構成とすることもできる。
【図面の簡単な説明】
【００５２】
【図１】本発明の第１の実施形態に係る光再構成ゲートアレイの再構成制御装置の全体概略構成図である。
【図２】図１に記載の光再構成ゲートアレイにおける論理演算回路の光再構成及び論理演算の動作フローチャートである。
【図３】図１に記載の光再構成ゲートアレイの再構成制御装置における光再構成ゲートアレイの詳細回路構成図である。
【図４】本発明の第２の実施形態に係る光再構成ゲートアレイの再構成制御装置の動作フローチャートである。
【図５】図４の動作フローチャートに対応する動作タイミングチャートである。
【図６】本発明の第２の実施形態に係る光再構成ゲートアレイの再構成制御装置の全体概略構成図である。
【図７】背景技術に係る光再構成ゲートアレイの再構成制御装置の概略構成図である。
【図８】背景技術に係る光再構成ゲートアレイの再構成制御装置の動作フローチャートである。
【符号の説明】
【００５３】
１    レーザアレイ
１ａ  レーザ光
２    ホログラムメモリ
２ａ  光パターン
２ｂ  制御信号光
３    光再構成型ゲートアレイ
３１  再環境設定回路
３２  ゲートアレイ回路
３３  再構成時間演算部
４  再生光照射制御手段
ｎＲＥＦ  リフレッシュ信号
Ｓ１  入力データ
Ｓ２  出力データ
Ｓ４  発光制御信号
ｐＤｃ  内部コンデンサ
ｐＤｏｕｔｎ  再構成信号
ｐＤ１  フォトダイオード
Ｔｒ１，Ｔｒ２，Ｔｒ３，Ｔｒ４  トランジスタ
【図１】
2008054187.tif 000003
【図２】
2008054187.tif 000004
【図３】
2008054187.tif 000005
【図４】
2008054187.tif 000006
【図５】
2008054187.tif 000007
【図６】
2008054187.tif 000008
【図７】
2008054187.tif 000009
【図８】
2008054187.tif 000010